(57)【要約】      （修正有）【課題】魚がルアーに食いつく前において釣り針の揺動が抑制され、且つ、魚がルアーに食いついた後において釣り針が大きく揺動可能なルアーを提供する。【解決手段】ルアー本体２と、釣り針と、を有し、釣り針が、ルアー本体２に揺動可能に連結される基端部３１と、基端部３１から延設された軸部３２と、軸部３２から延設されたフック状の針部３３と、を有し、釣り針の軸部３２を係脱可能に保持する保持部４が、ルアー本体２に設けてルアー１を形成する。【選択図】図３
0003180790.tif 000002
【実用新案登録請求の範囲】
【請求項１】
ルアー本体と、釣り針と、を有し、
前記釣り針が、ルアー本体に揺動可能に連結される基端部と、前記基端部から延設された軸部と、前記軸部から延設されたフック状の針部と、を有し、
前記釣り針の軸部を係脱可能に保持する保持部が、ルアー本体に設けられていることを特徴とするルアー。
【請求項２】
前記保持部が、２つの側壁部を有し、前記釣り針の軸部が、前記２つの側壁部によって狭持されることで係脱可能に保持される請求項１に記載のルアー。
【請求項３】
前記２つの側壁部の先端部の間に空隙が形成されている請求項２に記載のルアー。
【請求項４】
前記保持部の硬さが、６５〜９２である請求項１〜３の何れかに記載のルアー。
【請求項５】
前記側壁部の内面に、凹部及び凸部のうち少なくとも何れか一方が形成されている請求項２〜４の何れかに記載のルアー。
【請求項６】
前記側壁部の高さが、その前端部から後端部にかけて変化している請求項２〜５の何れかに記載のルアー。
【請求項７】
前記側壁部の高さが、その前端部から後端部にかけて高くなっている請求項６に記載のルアー。
【請求項８】
前記空隙の間隔が、前記保持部の前端部から後端部にかけて変化している請求項３〜７の何れかに記載のルアー。
【請求項９】
前記ルアー本体と前記保持部が、軟質合成樹脂によって形成されている請求項１〜８の何れかに記載のルアー。
【考案の詳細な説明】
【技術分野】
【０００１】
本考案は、魚釣り用のルアーに関する。
【背景技術】
【０００２】
従来、ルアー本体の腹部及び尾部に揺動可能な釣り針を連結したルアーが知られている（特許文献１）。しかし、ルアーの釣り針は、一般に、水中におけるルアーの動きを阻害し、且つ、キャスティングを不安定にするという問題がある。
具体的には、釣り針は、揺動可能にルアー本体に連結されている。そのため、水中において釣り針が岩礁や海草に引っ掛かり易い（即ち、根掛かりを生じ易い）という問題がある。さらに、ルアー本体に連結された釣り針は、キャスティング時に空中で大きく揺動する。その結果、キャスティング時におけるルアー全体のバランスが不安定となり、ルアーの飛距離にムラが生じ易いという問題がある。
一方、魚がルアーに食いついた際に釣り針が揺動可能でなければ、釣り針が魚の口腔内に引っ掛かり難く、望ましい釣果が得られない。
つまり、魚がルアーに食いつく前においては、釣り針の揺動が抑制されることが望ましく、魚がルアーに食いついた後においては、釣り針が大きく揺動可能であることが望ましい。
【先行技術文献】
【特許文献】
【０００３】
【特許文献１】特開２００２−５１６６９号公報
【考案の概要】
【考案が解決しようとする課題】
【０００４】
本考案の課題は、魚がルアーに食いつく前において釣り針の揺動が抑制され、且つ、魚がルアーに食いついた後において釣り針が大きく揺動可能なルアーを提供することである。
【課題を解決するための手段】
【０００５】
本考案のルアーは、ルアー本体と、釣り針と、を有し、釣り針が、ルアー本体に揺動可能に連結される基端部と、基端部から延設された軸部と、軸部から延設されたフック状の針部と、を有し、釣り針の軸部を係脱可能に保持する保持部が、ルアー本体に設けられている。
【０００６】
本考案の好ましいルアーは、保持部が、２つの側壁部を有し、釣り針の軸部が、２つの側壁部によって狭持されることで係脱可能に保持される。また、より好ましくは、２つの側壁部の先端部の間に空隙が形成されている。さらに、より好ましくは、保持部の硬さが、６５〜９２である。
【０００７】
本考案の好ましいルアーは、側壁部の内面に凹部及び／又は凸部が形成されている。また、側壁部の高さが、その前端部から後端部にかけて変化しており、好ましくは、その前端部から後端部にかけて高くなっている。さらに、好ましくは、空隙の間隔が、保持部の前端部から後端部にかけて変化している。
【０００８】
本考案の好ましいルアーは、ルアー本体と保持部が、軟質合成樹脂によって形成されている。
【考案の効果】
【０００９】
本考案のルアーは、保持部によって釣り針が横倒しにされた状態で安定的に保持される。そのため、キャスティング時に釣り針の揺動を抑制することができ、ルアーの飛距離にムラが生じ難くなる。また、水中においても釣り針の揺動が抑制されるため、根掛かりを生じ難い。一方、釣り針は、魚がルアーに食いついた際の衝撃によって保持部から脱落し易く、魚の口腔内に引っ掛かり易い。従って、望ましい釣果を得ることができる。
【図面の簡単な説明】
【００１０】
【図１】本考案のルアーの側面図。
【図２】図１のルアーをＩＩ−ＩＩ線で切断した拡大端面図。
【図３】図１のルアーの拡大下面図。
【図４】図４（ａ）は、本考案のルアーで用いられる釣り針の斜視図であり、図４（ｂ）は、図４（ａ）のルアーをＩＶ（ｂ）−ＩＶ（ｂ）線で切断した拡大端面図。
【図５】（ａ）〜（ｃ）は、本考案の第１変形例に係るルアーの拡大端面図。
【図６】本考案の第２変形例に係るルアーの拡大側面図。
【図７】図６のルアーをＶＩＩ−ＶＩＩ線で切断した拡大端面図。
【図８】図６のルアーの拡大下面図。
【図９】（ａ）及び（ｂ）は、それぞれ本考案の第２変形例の他実施形態に係るルアーの拡大側面図。
【図１０】本考案の第３変形例に係るルアーの拡大端面図。
【図１１】本考案の第４変形例に係るルアーの拡大端面図。
【図１２】本考案の第５変形例に係るルアーの側面図。
【図１３】図１３（ａ）は、実施例及び比較例で用いたルアーの側面図であり、図１３（ｂ）は、図１３（ａ）のルアーをＸＩＩＩ（ｂ）−ＸＩＩＩ（ｂ）線で切断した拡大端面図。
【考案を実施するための形態】
【００１１】
本考案のルアーは、ルアー本体と、釣り針と、を有する。釣り針は、ルアー本体に揺動可能に連結される基端部と、前記基端部から延設された軸部と、前記軸部から延設されたフック状の針部と、を有する。そして、釣り針の軸部を係脱可能に保持する保持部が、ルアー本体に設けられている。
以下、本考案の実施形態を図面を参照しつつ説明する。ただし、本明細書において、用語の接頭語として、第１、第２などを付す場合があるが、この接頭語は、用語を区別するためだけに付加されたものであり、順序や優劣などの特別な意味を持たない。
【００１２】
図１は、本考案のルアーの一実施形態の側面図であり、図２は、図１のルアーをＩＩ−ＩＩ線で切断した拡大端面図であり、図３は、図１のルアーの拡大下面図である。
図１に示される本考案のルアー１は、ルアー本体２と、釣り針３と、を有する。ルアー本体２は、その前端部に設けられたミチ糸連結部２１と、その腹側に設けられた２つの釣り針連結部２２と、を有し、釣り針連結部２２にはそれぞれ釣り針３が連結されている。また、ルアー本体２は、その前端部近傍から延出した水流抵抗板２３を有している。さらにルアー本体２には、その腹側から２つの保持部４が突出するように設けられており、この保持部４により、釣り針３の軸部３２が係脱可能に保持される。
なお、図１において、釣り針連結部２２、釣り針３、及び保持部４は、それぞれ２つずつ設けられているが、これらは１つずつ設けられていてもよく、３つ以上設けられていてもよい。
【００１３】
ここで、本明細書において、前端部とは、使用者が、本考案のルアーに取り付けられたミチ糸を水中で引いた際において、ルアーの進行方向側に対応する部材や部分の端部を意味する。また、後端部とは、ルアーの逆進行方向側に対応する（即ち、前端部と対向する）部材や部分の端部を意味する。
また、本明細書において、横方向とは、ルアーの進行方向と略平行な方向を意味し、縦方向とは、前記横方向と略直交する方向であってルアーの背側と腹側を縦断する方向を意味し、幅方向とは、前記横方向及び縦方向と略直交する方向を意味する。図面において、横方向、縦方向、及び幅方向を、それぞれＳ、Ｌ、及びＷの符号を付した矢印で表している。
【００１４】
なお、一般的にルアー本体の表面には小魚の鱗や色彩を模した模様が付されているが、図面においては、目及びエラ以外の器官を模した模様は、便宜上、省略されている。
以下、具体的に、本考案のルアーについて説明する。
【００１５】
ルアー本体２は、ルアーの中核となる部材である。通常、ルアー１を構成するルアー本体２以外の各部は、全てルアー本体２に直接又は間接的に連結される。
ルアー本体２の形態（形状、模様、及び色彩）は特に限定されない。一般的に、ルアー本体２は、その側面視形態が釣りの対象となる魚の餌（例えば、小魚やエビ等）の側面形態を模すように形成されている。
【００１６】
ルアー本体２は、その前端部にミチ糸連結部２１が設けられ、その腹側に釣り針連結部２２が設けられる。
ミチ糸連結部及２１び釣り針連結部２２は、２つの円環が連結した略８の字状の針金（８の字状針金）を用いて形成されている。具体的には、８の字状針金は、その一方の円環がルアー本体２の表面から突出するように、ルアー本体２に埋め込まれている。
連結部２１，２２を介してミチ糸や釣り針がルアー本体２に取り付けられているため、魚を釣り上げる際に、連結部２１，２２の基端部に応力が掛かりやすい。従って、連結部２１，２２は、鉄やステンレス鋼など、ルアー本体２よりも硬質な材料によって形成されていることが好ましい。
また、ルアー本体２は、その前端部近傍に、横方向に対して斜めに延出した水流抵抗板２３を有する。水流抵抗板２３は、平面視舌状に形成されている。水流抵抗板２３の延出角度は特に限定されず、任意に変更することができる。また、ルアー本体２は、水流抵抗板２３を有していなくてもよい。
【００１７】
ルアー本体２には、後述する釣り針３を係脱可能に保持する保持部４が設けられる。
保持部４の構成は、釣り針３が係脱可能であれば特に限定されない。好ましくは、保持部４は、２つの側壁部４１，４２を有する。２つの側壁部４１，４２によって釣り針３の軸部３２が狭持され、釣り針３を係脱可能に保持部４に保持することができる。
【００１８】
（釣り針）
釣り針３は、釣り針連結部２２に揺動可能に連結される。釣り針３は、ルアー本体２の釣り針連結部２２に揺動可能に連結される基端部３１と、基端部３１から延設された軸部３２と、軸部３２から延設されたフック状の針部３３と、を有する。軸部３２が、ルアー本体２に設けられた保持部４により係脱可能に保持されることで、釣り針３は横倒しされた状態のまま保持される。釣り針３の形成材料は特に限定されず、ステンレス鋼や高炭素鋼など任意の材料を用いることができる。
【００１９】
本考案で用いられる釣り針は、上記構成を有する限り特に限定されない。例えば、１つの軸部に対し１つの針部を有するＪ字状釣り針や、１つの軸部に対し複数の針部を有する錨状釣り針を用いることができる。もっとも、本考案では、錨状釣り針を用いることが好ましい。錨状釣り針は複数の針部を有するため、ルアーに魚が食いついた際、針部がより効率的に魚の口腔内に引っ掛かるためである。
錨状釣り針は、複数のＪ字状釣り針の各軸部を一体化することで形成され、複数の針部を有する。つまり、錨状釣り針の軸部は、複数のＪ字状釣り針の軸部によって構成されている。錨状釣り針を構成するＪ字状釣り針は、各針部が放射状に延出するように配置されている。
図４（ａ）は、本考案で用いられる錨状釣り針３の一例の斜視図であり、図４（ｂ）は、その軸部の拡大端面図である。図４の錨状釣り針３は、３つのＪ字状釣り針の軸部３２１，３２２，３２３を一体化することにより形成されており、各Ｊ字状の釣り針の針部が、約１２０°の間隔を空けて放射状に延出するように配置されている。この錨状釣り針の軸部３２は、３つのＪ字状釣り針の軸部３２１，３２２，３２３によって構成されている。
【００２０】
釣り針３の基端部３１には、孔部３１１が設けられており、この孔部３１１と釣り針連結部２２の先端部がリング部材３４を介して連結されている。釣り針３と釣り針連結部２２は、リング部材３４を介して連結されているため、自由に揺動可能である。もっとも、釣り針３は、その基端部３１に設けられた孔部３１１と釣り針連結部２２とが、リング部材３４を介さずに直接連結されていてもよい。
釣り針３の基端部３１から細長状の軸部３２が延出されている。軸部３２の径長や長さは特に限定されず、釣りの対称となる魚の大きさや後述する保持部４に合わせて適宜変更することができる。
釣り針３の軸部３２からはフック状の針部３３が延出されている。この針部３３の曲率は特に限定されず、釣りの対象とする魚によって任意に変更することができる。
【００２１】
（保持部）
保持部４は、上述した釣り針３を係脱可能に保持する部材であり、弾性を有する。図１及び図３に示すように、保持部３は、ルアー本体２の腹側であって、釣り針連結部２２の近傍に設けられる。つまり、釣り針３の軸部３２が保持部４によって保持されるため、保持部は、釣り針連結部２２を基準として、そこから釣り針３の基端部３１及び軸部３２の長さ（リング部材を介している場合は、さらにリング部材の長さ）を足した長さを半径とする円範囲内に設けられる。
【００２２】
保持部４の位置は、上述のように、釣り針連結部２２の近傍であれば特に限定されない。保持部４は、釣り針連結部２２よりもルアー本体２の前端部側に設けられていてもよく、釣り針連結部２２よりもルアー本体２の後端部側に設けられていてもよい。好ましくは、図１及び図３に示すように、保持部４は、釣り針連結部２２よりもルアー本体２の後端部側に設けられる。
保持部４が釣り針連結部２２よりもルアー本体２の後端部側に設けられている場合、釣り針３の針部３３の先端がルアー本体２の前端部側に向くように釣り針３を保持することができる。通常、釣りの対象となる魚は、ルアー本体２の後端部側から食いつくことが多い。そのため、針部３３の先端がルアー本体２の前端部側に向いた釣り針３は、魚の口腔内に引っ掛かり易く、より釣果を上げることができる。
【００２３】
保持部４は、ルアー本体２から延出した第１側壁部４１と第２側壁部４２とを有する。第１側壁部４１と第２側壁部４２は、ルアー本体２の横方向Ｓに連続的に延びるように形成されている。この第１及び第２側壁部４１，４２の内側に形成された保持空間４３に釣り針３の軸部３２を収めることで、第１及び第２側壁部４１，４２によって釣り針３の軸部３２が狭持され、釣り針３を係脱可能に保持することができる。第１及び第２側壁部４１，４２の内面（第１及び第２側壁部４１，４２の表面のうち、保持空間４３に面する表面）は凹凸部を有さない滑面である。
第１及び第２側壁部４１，４２は、その基端部４１１，４２１からその中途部４１２，４２２にかけて幅方向Ｗにおけるルアー本体２の中央部から離れつつ、その中途部４１２，４２２からその先端部４１３，４２３にかけて幅方向Ｗにおけるルアー本体２の中央部に向かうように形成されている。好ましくは、第１及び第２側壁部４１，４２は、幅方向Ｗにおけるルアー本体２の中央部を縦方向Ｌに縦断する仮想線Ｘを基準に、互いに線対称であることが好ましい。
好ましくは、側壁部４の断面視形状（保持空間４３の輪郭）は、円環状又は楕円環状である。図２では、側壁部４は、断面視略円環状である。
【００２４】
第１側壁部４１の先端部４１３と第２側壁部４２の先端部４２３との間には、間隔を空けて空隙４４が形成されており、この空隙４４に釣り針３の軸部３２を嵌入することで、保持空間４３内に軸部３２を収めることができる。
前記空隙４４の間隔は釣り針３の軸部３２の最大径よりも小さい。好ましくは、空隙４４の間隔は、釣り針３の軸部３２の最大径の１／１０〜２／３の長さであり、より好ましくは、１／５〜１／２の長さである。具体的には、空隙４４の間隔は、０．２ｍｍ〜１０．０ｍｍであり、好ましくは、０．８ｍｍ〜５．０ｍｍである。
なお、軸部３２の最大径とは、軸部３２の径長のうち最長のものを意味する。例えば、軸部３２が断面視円形状である場合、軸部３２の最大径は、円の直径を意味し、軸部３２が断面視楕円形状である場合、軸部３２の最大径は、楕円の長径を意味する。また、図４で示すような錨状釣り針３を用いる場合、その軸部３２の最大径は、各Ｊ字状釣り針の軸部３２１，３２２，３２３のうち、隣接する２つの軸部の直径の合計に等しい。
空隙４４に釣り針３の軸部３２を嵌入する際、第１及び第２側壁部４１，４２の先端部４１３，４２３が、幅方向Ｗにおけるルアー本体２の中央部から離れるように変形する。その結果、空隙４４の間隔が軸部３２の最大径より小さくても、釣り針３を保持空間４３内に容易に収めることができる。また、空隙４４の間隔は、釣り針３の軸部３２の最大径よりも小さいため、保持空間４３内に収められた釣り針３は、保持部４から容易に脱落せず、安定的に保持される。
【００２５】
釣り針３は、その軸部３２の長手方向がルアー本体２の横方向Ｓと略平行となるように保持部４に保持される。即ち、釣り針３は横倒しされた状態で保持部４に保持される。
保持された釣り針３は、キャスティング時に大きく揺動することがない。そのため、ルアー１のバランスを安定的に維持することができ、ルアー１の飛距離にムラが生じず、より安定したキャスティングを行うことができる。また、釣り針３は、保持部４によって揺動が抑制されているため、岩礁や海草に引っ掛かり難い。
通常、キャスティングや着水時の衝撃に比べて、ルアー１に魚が食いついた際の衝撃の方が大きい。本考案では、釣り針３は、キャスティングや着水時の衝撃によって保持部４から脱落しないが、魚がルアー１に食いついた際の大きな衝撃によって容易に保持部４から脱落する。保持部４から脱落した釣り針３は、大きく揺動可能となり魚の口腔内に引っ掛かり易くなる。従って、望ましい釣果を得ることができる。
【００２６】
本考案のルアーにおいて、保持部の硬さは、好ましくは６５〜９２であり、より好ましくは７０〜９０である。保持部の硬さがこの範囲内であれば、保持部は、好適な弾性を有し、釣り針の軸部をより保持部の空隙に嵌入させ易く、且つ、キャスティングや着水時の衝撃により保持部から釣り針が脱落し難くなる。さらに、魚がルアーに食いついた際に容易に保持部から釣り針を脱落させることができる。
なお、本明細書において、硬さとは、ＪＩＳ  Ｋ  ６２５３に規定する「加硫ゴム及び熱可塑性ゴムのデュロメータ硬さの求め方」に準拠し、タイプＡのデュロメーターを用いて測定した硬さを意味する。
【００２７】
また、ルアー本体の硬さは、上記保持部の硬さと同じ範囲内であることが好ましい。ルアー本体の硬さと保持部の硬さが大きく相違すると、ルアーに食いついた魚が異物感を感じ、ルアーを吐き出してしまう虞がある。
ルアー本体の硬さＡと保持部の硬さＢの差（｜Ａ−Ｂ｜）は、好ましくは０〜１０であり、より好ましくは０〜５であり、特に好ましくは０〜３である。
【００２８】
ルアー本体及び保持部の形成材料は、上述のように釣り針の軸部を空隙に嵌入できる程度の弾性を有するものであれば特に限定されないが、好ましくは軟質合成樹脂が用いられる。
このような軟質合成樹脂としては、エラストマー系樹脂、シリコン系樹脂、アクリル系樹脂、又はウレタン系樹脂等が用いられる。また、ルアー本体及び保持部は、これらの樹脂を２種以上併用して形成されていてもよい。
好ましくは、アクリル系樹脂又はエラストマー系樹脂が用いられる。アクリル系樹脂又はエラストマー系樹脂から形成されたルアー本体及び保持部を有するルアーは、その表面の弾力性が小魚の体躯のそれと似通る。そのため、より本物の餌に近い硬さを有するルアーを作製することができる。
【００２９】
ルアー本体と保持部の形成材料は同じであってもよいし、異なっていてもよい。両者の形成材料が異なる場合、ルアー本体に対し、保持部を接着剤等を介して接着することで保持部が設けられる。
好ましくは、ルアー本体と保持部の形成材料は同じである。ルアー本体と保持部の形成材料が同じであれば、両者の硬さは同じとなり、ルアーに食いついた魚が違和感を感じ難くなる。また、ルアー本体と保持部の形成材料が同じであれば、ルアー本体と保持部を一体成形により繋ぎ目なく形成することができる。ルアー本体と保持部を一体成形することにより、保持部がルアー本体から脱落するのを防止できる。
【００３０】
以下、本考案の変形例について説明する。もっとも、以下の変形例の説明において、主として上記実施形態と異なる構成及び効果について説明し、上記実施形態と同様の構成などについては、その説明を省略し、用語及び符号を援用する場合がある。
【００３１】
（第１変形例）
図５（ａ）〜図５（ｃ）は、本考案の第１変形例に係るルアー１の保持部４の拡大端面図である。
第１変形例において、第１及び第２側壁部４１，４２の内面には、凹部４６及び／又は凸部４５が設けられている。図５（ａ）では、第１及び第２側壁部４１，４２の内面の周方向に、一定の間隔を空けて凸部４５が設けられており、図５（ｂ）では、第１及び第２側壁部４１，４２の内面の周方向に、一定の間隔を空けて凹部４６が設けられており、図５（ｃ）では、第１及び第２側壁部４１，４２の内面の周方向に、一定の間隔を空けて凹部４６と凸部４５が交互に設けられている。
このように両側壁部４１，４２の内面に設けられた凹部４６及び／又は凸部４５は、釣り針３の軸部３２が保持空間４３から脱落することを防止する滑り止めとして機能する。従って、より強固に釣り針３を保持することができる。
第１及び第２側壁部４１，４２の内面から凸部４５の最頂部に至る長さ（凸部４５の高さ）は特に限定されないが、通常、０．１〜０．５ｍｍであり、好ましくは０．１ｍｍ〜０．３ｍｍである。また、第１及び第２側壁部４１，４２の内面から凹部４６の最底部に至る長さ（凹部４６の深さ）は特に限定されないが、通常、０．１〜０．５ｍｍであり、好ましくは０．１ｍｍ〜０．３ｍｍである。
【００３２】
（第２変形例）
本考案の第２変形例では、第１及び第２側壁部４１，４２（保持部４）の高さが、その前端部から後端部にかけて変化している。図６は、本考案の第２変形例に係るルアー１の保持部４を表す拡大側面図であり、図７は、図６のルアー１をＶＩＩ−ＶＩＩ線で切断した拡大端面図であり、図８は、図６のルアーの拡大下面図である。
図７に示すように、第１及び第２側壁部４１，４２は、ルアー本体２から直立するように設けられている。そして、ルアー本体２の表面から第１及び第２側壁部４１，４２の先端部４１３，４２３までの長さ（第１及び第２側壁部４１，４２の高さ）は、図６に示すように、その前端部から後端部にかけて徐々に高くなるように設けられている。即ち、保持部４はその側面視形状がヒレのような略三角形状に形成されている。
本考案のルアー１に取り付けられたミチ糸を水中で引いた際において、水流はルアー本体２の前端部側から後端部側にかけて流れる。従って、保持部４をヒレのような形状にすることで、水流の抵抗を抑制することができる。
第１側壁部４１の先端部４１３と第２側壁部４２の先端部４２３との間には、空隙４４が形成されており、この空隙４４に釣り針３の軸部３２を嵌入することで、保持空間４３内に釣り針３の軸部３２を収めることができる。釣り針３の軸部３２は、第１及び第２側壁部４１，４２によって狭持されるため、容易に脱落しない。
【００３３】
また、第２変形例では、空隙４４の間隔が、両側壁部４１，４２（保持部４）の前端部から後端部にかけて変化している。例えば、図８に示すように、第１及び第２側壁部４１，４２は、空隙４４の間隔が、保持部４の前端部から後端部にかけて徐々に減少するように形成されている。もっとも空隙４４の間隔は、保持部４の前端部から後端部にかけて徐々に増加するように形成されていてもよい（図示せず）。
このように空隙４４の間隔が保持部４の前端部から後端部にかけて変化することにより、様々な軸径を有する釣り針３を保持することができる。即ち、比較的軸径の小さい釣り針３を用いる場合、空隙４４の間隔が狭い部分において釣り針３の軸部３２が第１及び第２側壁部４１，４２によって狭持される。他方、比較的軸径の大きい釣り針３を用いる場合、空隙４４の間隔が広い部分において釣り針３の軸部３２が第１及び第２側壁部４１，４２によって狭持される。
【００３４】
図９（ａ）及び図９（ｂ）は、第２変形例に係るルアーのさらなる他実施形態の拡大側面図である。
図９（ａ）に示すように、第１及び第２側壁部４１，４２の高さは、その前端部から中途部にかけて徐々に高くなり、且つ、中途部から後端部にかけて徐々に低くなるように設けられていてもよい。また、図９（ｂ）に示すように、両側壁部４１，４２の高さは、その前端部から中途部にかけて徐々に高くなり、且つ、中途部から後端部にかけて高さが変化していなくてもよい。図９（ｂ）においては、保持部４の側面視形状は、略台形状である。
また、図示しないが、図９（ａ）及び図９（ｂ）に示すルアーの保持部も、図８に示すように、空隙４４の間隔が、両側壁部４１，４２（保持部４）の前端部から後端部にかけて変化していてもよい。
【００３５】
第２変形例に係るルアー１では、比較的大きな軸径を有する釣り針３を用いた場合でも、その軸径よりも狭い間隔を有する空隙４４に軸部３２を嵌入することができる。つまり、保持部４の第１及び第２側壁部４１，４２は、弾性を有するため、釣り針３の軸部３２を嵌入する際に、幅方向Ｗにおけるルアー本体２の中央部から離れる方向に変形する。変形した第１及び第２側壁部４１，４２は、変形状態から元の状態に復元しようとし、その際に応力が発生する。この応力により、釣り針３の軸部３２を狭持することができる。
従って、第２変形例に係るルアーは、釣り針３を交換した場合でも、保持部４を交換することなく、釣り針３を保持部４で係脱可能に保持することができる。
【００３６】
（第３変形例）
図１０は、本考案の第３変形例に係るルアー１を、図１のＩＩ−ＩＩ線と同様な位置で切断した拡大端面図である。
本変形例において、第１及び第２側壁部４１，４２は、縦方向Ｌに対し斜めに延出し、且つ、両側壁部４１，４２の先端部４１３，４２３が幅方向Ｗにおけるルアー本体２の中央部に向かうように設けられている。両先端部４１３，４２３の間には、空隙４４が形成されている。さらに、第１及び第２側壁部４１，４２の内面であって、両者の先端部４１３，４２３の近傍には、滑り止め防止用の凸部４７が一対設けられている。一対の凸部４７，４７は、保持空間４３内において、互いに対面するように設けられている。
凸部４７の高さは特に限定されず、通常、０．１ｍｍ〜３．０ｍｍであり、好ましくは、０．５ｍｍ〜２．０ｍｍである。
【００３７】
（第４変形例）
図１１は、本考案の第４変形例に係るルアー１を図１のＩＩ−ＩＩ線と同様な位置で切断した拡大端面図である。
本変形例において、ルアー本体２の内側に凹んだ溝が形成されており、この溝が保持部４である。図１１において、溝は、ルアー本体２の幅方向Ｗと略平行であり且つその横方向Ｓに延びる底面４８と、前記底面４８の幅方向Ｗの両側に設けられたルアー本体２の縦方向Ｌと略平行な第１及び第２側面４１４，４２４と、を有する。第１及び第２側面４１４，４２４は、保持部４の第１及び第２側壁部４１，４２に相当する。
このようにルアー本体２の内側に凹んだ溝からなる保持部４を形成することで、ルアー１の作製に用いられる軟質合成樹脂の量を節約することができ、且つ、ルアー本体２の作製と別に保持部４を作製する必要がない。そのため、より歩留まりよくルアー１を作製することができる。
第１及び第２側面４１４，４２４の間隔（溝の幅）は、保持される釣り針３の軸部３２の軸径によって任意に変更することができる。通常、保持部４（溝）の幅は、１．０ｍｍ〜１０．０ｍｍであり、好ましくは、２．０ｍｍ〜５．０ｍｍである。また、ルアー本体２の表面から溝の最底部までの長さ（溝の深さ）も、釣り針３の軸部３２の軸径によって任意に変更できる。通常、溝の深さは、２．０ｍｍ〜１０．０ｍｍであり、好ましくは、２．０ｍｍ〜５．０ｍｍである。
【００３８】
（第５変形例）
本考案では、保持部４は、ルアー本体２の腹側だけでなく、その他の任意の部分に設けられていてもよい。図１２は、本考案の第５変形例に係るルアー１の概略側面図である。
本変形例において、保持部４は、ルアー本体２の腹側及び背側の２箇所に設けられている。腹側の保持部４は、横方向Ｓにおけるルアー本体２の中央部を基準にして、それよりも前端部側に設けられており、背側の保持部４は、それよりも後端部側に設けられている。腹側に設けられた保持部４と背側に設けられた保持部４の形状は、上述した実施形態で示したものを適宜採用できる。両保持部４，４の形状は、それぞれ同一であってもよいし、異なっていてもよい。
このように、ルアー本体２の腹側及び背側に保持部４を設けることにより、ルアー１に魚が食いついた際に、より釣り針３が魚の口腔内に引っ掛かり易くなる。つまり、通常、釣りの対象となる魚は、ルアー本体２の後端部側から食いつくことが多い。背側の保持部４は、横方向Ｓにおけるルアー本体２の中央部よりも後端部側に設けられている。そのため、魚がルアー本体２の後端部側から食いついた場合、背側の保持部４によって保持された釣り針３が魚の上あごに引っ掛かり易い。また、魚がルアー１に食いついた際の衝撃により、背側及び腹側の保持部４に保持された２つの釣り針３，３が脱落する。その結果、腹側の保持部に保持されていた釣り針３は、魚の口腔内において揺動可能となり、魚の下あごに引っかかり易くなる。
【００３９】
なお、本考案のルアーは、上記実施形態に限られず、本考案の意図する範囲で様々に設計変更できる。
例えば、第２変形例のようにルアー本体から直立した第１及び第２側壁部を有する保持部の内面に対し、第１変形例の保持部内面に設けられた凹部及び／又は凸部が形成されていてもよい。
また、第４変形例のようにルアー本体に設けられた溝状の保持部において、第１及び第２側壁部の間に形成された空隙の間隔（溝の幅）が、第２変形例のように、両側壁部の前端部から後端部にかけて徐々に変化していてもよい。
【実施例】
【００４０】
以下、実施例及び比較例を示して本考案を更に説明する。なお、本考案は、下記実施例のみに限定されるものではない。
【００４１】
（ルアー本体及び保持部）
実施例及び比較例では、同一形状のルアーを作製した。
図１３（ａ）は、実施例及び比較例で用いたルアー１Ａの側面図であり、図１３（ｂ）は、その保持部４Ａの拡大端面図である。図１３（ａ）及び図１３（ｂ）に示すように、保持部４Ａはルアー本体２Ａの腹側に２つ設けられ、且つ、ミチ糸連結部２１Ａはルアー本体２Ａの頭部に設けた。以下、２つの保持部４Ａのうち、ルアー本体２Ａの前端部側に位置する保持部４Ａを前端保持部と表し、ルアー本体２の後端部側に位置する保持部４Ａを後端保持部と表す。
前端保持部と後端保持部の形状は同じである。両保持部４Ａ，４Ａが有する第１及び第２側壁部４１Ａ，４２Ａの断面視形状は、図１３（ｂ）に示すような略円形であり、両側壁部４１Ａ，４２Ａの内面は滑面であった。また、第１及び第２側壁部４１Ａ，４２Ａの高さは、図１３（ａ）に示すように、その前端部から中途部にかけて徐々に高くなり、且つ、中途部から後端部にかけて徐々に低くなるように作製した。第１側壁部４１Ａの先端部４１３Ａと第２側壁部４２Ａの先端部４２３Ａの間に形成された空隙４４Ａの間隔は、両側壁部４１Ａ，４２Ａの前端部から後端部にかけて一定であり、その長さは、１．５ｍｍであった。
ルアー本体２と保持部４は、同一の軟質合成樹脂によって一体成形されており、その軟質合成樹脂の種類を変更することにより、実施例１〜３及び比較例１及び２のルアーを作製した。
【００４２】
（釣り針）
実施例及び比較例では、錨状釣り針を使用した。この錨状釣り針は、１つの軸部に対し３つの針部を有するステンレス鋼製の釣り針であった。錨状釣り針の最大軸径は、２．２ｍｍであった。
【００４３】
（瞬間保持力の測定方法）
机上において、前端保持部又は後端保持部、並びに、保持部に保持された釣り針が机の縁の外側に出るようにルアーを配置し、そのルアーを万力を用いて机に固定した。その後、釣り針の針部に、直径０．８５ｍｍで長さ３０ｃｍの撚り糸（（有）中島製網製、製品名「ネソ糸２１０ｄｎ／２０本撚」）の一端を結びつけ、その他端に種々の重りを粘着テープ（マスキングテープ）を介して取り付けた。その後、重りをルアーの高さまで持ち上げ、そこから重りを落とし、釣り針が保持部から脱落するか否かを測定した。
なお、表２に表される重りの重量は、重りだけでなくネソ糸及び粘着テープを含めた重量である。
【００４４】
（連続保持力の測定方法）
ルアー頭部に設けられたミチ糸連結部を万力で狭持し、その腹側が上向きになるようにルアーを固定した。その後、ルアー本体に設けられた前端保持部と後端保持部に保持された２つの釣り針の針部をルアー上方に７７ｍｍ／ｍｉｎの速度で引っ張った。そして、引張荷重を徐々に上げ、釣り針が保持部から脱落した際の引張荷重を計測した。この計測を３回繰り返し、前端保持部及び後端保持部から釣り針が脱落する平均引張荷重を算出した。
なお、引張荷重は、電動式縦型荷重測定スタンド（（株）アトニック製、製品名「Ｍ−５０２Ｅ」）を用いて測定した。
【００４５】
＜実施例１＞
軟質合成樹脂として、軟質アクリル系合成樹脂（硬さ７０）を用いてルアー本体及び保持部を一体成形することによりルアーを作製した。
続いて、得られたルアーの瞬間保持力を上述の測定方法により測定した。その結果を表１に表す。なお、表１において、○は、重りを落下させた際に保持部から釣り針が脱落しなかったことを表し、×は、重りを落下させた際に保持部から釣り針が脱落したことを表す。
【００４６】
＜実施例２＞
軟質合成樹脂として、軟質アクリル系合成樹脂（硬さ８０）を用いてルアー本体及び保持部を一体成形しすることによりルアーを作製した。
続いて、得られたルアーの瞬間保持力及び連続保持力を測定した。その結果を表１及び表２に表す。
【００４７】
＜実施例３＞
軟質合成樹脂として、軟質アクリル系合成樹脂（硬さ９０）を用いてルアー本体及び保持部を一体成形することによりルアーを作製した。
続いて、得られたルアーの瞬間保持力及び連続保持力を測定した。その結果を表１及び表２に表す。
【００４８】
＜比較例１＞
軟質合成樹脂として、軟質アクリル系合成樹脂（硬さ６０）を用いてルアー本体及び保持部を一体成形することによりルアーを作製した。
続いて、得られたルアーの瞬間保持力及び連続保持力を測定した。その結果を表１及び表２に表す。なお、連続保持力の測定に関し、比較例１では、前端保持部及び後端保持部の硬さが軟らかすぎて測定可能な荷重がかかる前に釣り針が保持部から脱落したため、引張荷重を測定することができなかった。
【００４９】
＜比較例２＞
軟質合成樹脂として、ウレタン系合成樹脂（硬さ９５）を用いてルアー本体及び保持部を一体成形することによりルアーを作製した。
続いて、得られたルアーの瞬間保持力を上述の測定方法により測定した。その結果を表１に表す。なお、瞬間保持力の測定に関し、比較例２では、前端保持部の硬さが硬すぎて、釣り針の軸部を嵌入させることができなかった。
【００５０】
【表１】
0003180790.tif 000003
【００５１】
【表２】
0003180790.tif 000004
【００５２】
（評価）
表１及び表２に示すように、保持部の硬さが大きくなるに従って保持部の瞬間保持力及び連続保持力が増加し、保持部から釣り針が脱落し難くなることが読み取れる。
なお、瞬間保持力の測定に際し、重りの重量が２．２７ｇ以下の場合は、ルアーのキャスティングや着水時に生じる衝撃と略同等の衝撃を再現しており、重りの重量が３．４ｇ以上６．３５未満の場合は、魚がルアーに食いついた際の衝撃を再現している。
つまり、実施例１〜３のルアーは、キャスティング時や着水時の衝撃によって釣り針が保持部から脱落し難い。そして、魚がルアーに食いついた際には、容易に釣り針が保持部から脱落し、揺動可能となる。
これに対し、比較例１のルアーでは、ルアーのキャスティングや着水時に生じる衝撃により保持部から釣り針が脱落し易い。また、比較例２のルアーは保持部が硬すぎるため、ルアーの使用者が釣り針を保持部に嵌入することが困難になる。そして、釣り針を保持部に嵌入できたとしても、魚がルアーに食いついた際に衝撃によって釣り針が保持部から脱落し難い。
【符号の説明】
【００５３】
１…ルアー、２…ルアー本体、２１…ミチ糸連結部、２２…釣り針連結部、３…釣り針、３１…基端部、３２…軸部、３３…針部、４…保持部、４１…第１側壁部、４２…第２側壁部、４３…保持空間、４４…空隙、Ｓ…横方向、Ｌ…縦方向、Ｗ…幅方向
【図１】
0003180790.tif 000005
【図２】
0003180790.tif 000006
【図３】
0003180790.tif 000007
【図４】
0003180790.tif 000008
【図５】
0003180790.tif 000009
【図６】
0003180790.tif 000010
【図７】
0003180790.tif 000011
【図８】
0003180790.tif 000012
【図９】
0003180790.tif 000013
【図１０】
0003180790.tif 000014
【図１１】
0003180790.tif 000015
【図１２】
0003180790.tif 000016
【図１３】
0003180790.tif 000017